(57)【要約】【課題】組み付け作業を容易にすることができるカメラ装置を提供すること。【解決手段】回路基板収容部５０と、外部接続端子収容部６０とが分離可能な筺体４０を有し、回路端子１１ａと外部接続端子２０との間に、導電性弾性体３０を挟み込むことによって回路端子１１ａと外部接続端子２０とが電気的に接続されるカメラ装置１において、回路基板収容部５０は、導電性弾性体３０の端部３３が回路基板収容部５０内に向けて挿通可能に開口され、かつ導電性弾性体３０に密着されるように形成された導電性弾性体挿通開口部５３を有してなり、外部接続端子収容部６０は、導電性弾性体３０の端部３４が嵌入される凹状をなし、かつ凹部底面６３ａから外部接続端子２０が露出されてなる導電性弾性体嵌入凹部６３を有してなり、導電性弾性体３０が、導電性弾性体嵌入凹部６３に嵌入され、かつ導電性弾性体挿通開口部５３に密着されながら挿通された状態で筺体４０に保持される。【選択図】図３
2014075229.tif 000002
【特許請求の範囲】
【請求項１】
実装面上に回路端子が形成されてなる回路基板が収容される回路基板収容部と、外部との電気接続を可能とする外部接続端子が収容される外部接続端子収容部とが分離可能な筺体を有し、前記回路基板収容部と前記外部接続端子収容部とが結合される場合、前記回路端子と前記外部接続端子との間に、前記回路基板収容部側および前記外部接続端子収容部側の両端面に露出されるように導体が絶縁弾性体に埋設されてなる導電性弾性体を挟み込むことによって前記回路端子と前記外部接続端子とが前記導体を介して電気的に接続されるカメラ装置において、
前記回路基板収容部は、
前記導電性弾性体の前記回路基板収容部側の端面を含む端部が該回路基板収容部外から該回路基板収容部内の前記回路端子に向けて挿通可能に開口され、かつ開口内縁面が前記導電性弾性体に密着されるように形成された導電性弾性体挿通開口部を有してなり、
前記外部接続端子収容部は、
前記導電性弾性体の前記外部接続端子収容部側の端面を含む端部が嵌入される凹状をなし、かつ凹部底面から前記外部接続端子が露出されてなる導電性弾性体嵌入凹部を有してなり、
前記回路基板収容部と前記外部接続端子収容部とが結合される場合、前記導電性弾性体が、前記導電性弾性体嵌入凹部に嵌入され、かつ前記導電性弾性体挿通開口部に密着されながら挿通された状態で前記筺体内に保持されることを特徴とするカメラ装置。
【請求項２】
前記回路基板収容部は、
前記開口内縁面と面一に枠内面が形成されるように前記導電性弾性体挿通開口部が形成される面である開口形成面から枠状に突出され、かつ突出端面が前記導電性弾性体嵌入凹部の凹部上面に当接される突出枠状壁部を有してなり、
前記外部接続端子収容部は、
前記突出枠状壁部の外周を囲うようにして前記凹部上面から突出され、かつ突出端面が前記開口形成面に当接される突出囲い壁部を有してなることを特徴とする請求項１に記載のカメラ装置。
【請求項３】
前記導電性弾性体は、
前記絶縁弾性体が直方体形状をなし、長手方向が前記導電性弾性体嵌入凹部への嵌入方向になるとともに前記導電性弾性体挿通開口部への挿通方向となることを特徴とする請求項１または２に記載のカメラ装置。
【請求項４】
前記導電性弾性体は、
長手方向の断面形状が山形形状をなすリップ部を有し、該リップ部が長手方向に沿って連続するように形成されてなることを特徴とする請求項３に記載のカメラ装置。
【発明の詳細な説明】
【技術分野】
【０００１】
本発明は、カメラ装置に関する。
【背景技術】
【０００２】
従来、例えば、自動車のバンパ、あるいはグリル等に設置されるカメラ装置は、ＣＣＤ（Ｃｈａｒｇｅ  Ｃｏｕｐｌｅｄ  Ｄｅｖｉｃｅ）等の撮像素子が搭載され、筺体内に収容された回路基板に形成された端子（以下、回路端子という。）に、電源装置、あるいは、車内の表示装置等のカメラ装置の外部との接続を行うための外部接続用端子が接続されるようになっている。
この外部接続用端子は、コネクタ接続によって相手接続コネクタを介して、あるいはワイヤーハーネスの端子として電線を介して車内の各装置に接続されるようになっている。
このようなカメラ装置は、筺体の前面に設けられたレンズ等の光学系を介して、筺体の外部から内部に導入された光が撮像素子に受光されるようになっており、回路基板を筺体内で微小変位させることによって、光学系の光軸と、撮像素子の光軸との位置関係を調節するようになっている。例えば、特許文献１には、筺体内で回路基板を微小変位され、回路端子と、外部接続端子とが相対的に微小変位された場合であっても、回路端子と外部接続端子との接続状態が維持される機構を備えたカメラ装置が記載されている。
【０００３】
特許文献１に記載されたカメラ装置は、絶縁弾性体の両端面側に露出されるように導体としての金属細線が埋設されてなる導電性弾性体が、回路端子と外部接続端子との間に挟まれ、金属細線の各端面が絶縁弾性体の弾性復元力により回路端子と外部接続端子とに当接されることによって、回路端子と外部接続端子とが電気的に接続されるようになっている。
【先行技術文献】
【特許文献】
【０００４】
【特許文献１】特開２００６−３５１２１０号公報
【発明の概要】
【発明が解決しようとする課題】
【０００５】
しかしながら、特許文献１に記載されたカメラ装置２００は、図１３に示すように、筺体３００が、外部接続端子３１１が収容される外部接続端子収容部３１０と、回路端子３２１が形成された回路基板３２２が収容される回路基板収容部３２０とに分離可能に構成され、導電性弾性体４００を回路端子３２１と外部接続端子３１１との間に挟むように、かつ外部接続端子収容部３１０の開口端３１０ａと、回路基板収容部３２０の開口端３２０ａとを合わせるとうにして外部接続端子収容部３１０と、回路基板収容部３２０とが結合されるようになっているので、外部接続端子収容部３１０と、回路基板収容部３２０との開口端３１０ａ，３２０ａの合わせ目での防水性を向上させるための防水シール部材５００が必要となり、これにより部品点数が増え、結果的に組み付け作業が煩雑になってしまうという問題があった。
【０００６】
本発明は、上記に鑑みてなされたものであって、組み付け作業を容易にすることができるカメラ装置を提供することを目的とする。
【課題を解決するための手段】
【０００７】
上述した課題を解決し、目的を達成するために、本発明の請求項１に係るカメラ装置は、実装面上に回路端子が形成されてなる回路基板が収容される回路基板収容部と、外部との電気接続を可能とする外部接続端子が収容される外部接続端子収容部とが分離可能な筺体を有し、前記回路基板収容部と前記外部接続端子収容部とが結合される場合、前記回路端子と前記外部接続端子との間に、前記回路基板収容部側および前記外部接続端子収容部側の両端面に露出されるように導体が絶縁弾性体に埋設されてなる導電性弾性体を挟み込むことによって前記回路端子と前記外部接続端子とが前記導体を介して電気的に接続されるカメラ装置において、前記回路基板収容部は、前記導電性弾性体の前記回路基板収容部側の端面を含む端部が該回路基板収容部外から該回路基板収容部内の前記回路端子に向けて挿通可能に開口され、かつ開口内縁面が前記導電性弾性体に密着されるように形成された導電性弾性体挿通開口部を有してなり、前記外部接続端子収容部は、前記導電性弾性体の前記外部接続端子収容部側の端面を含む端部が嵌入される凹状をなし、かつ凹部底面から前記外部接続端子が露出されてなる導電性弾性体嵌入凹部を有してなり、前記回路基板収容部と前記外部接続端子収容部とが結合される場合、前記導電性弾性体が、前記導電性弾性体嵌入凹部に嵌入され、かつ前記導電性弾性体挿通開口部に密着されながら挿通された状態で前記筺体内に保持されることを特徴とする。
【０００８】
また、本発明の請求項２に係るカメラ装置は、上記の発明において、前記回路基板収容部は、前記開口内縁面と面一に枠内面が形成されるように前記導電性弾性体挿通開口部が形成される面である開口形成面から枠状に突出され、かつ突出端面が前記導電性弾性体嵌入凹部の凹部上面に当接される突出枠状壁部を有してなり、前記外部接続端子収容部は、前記突出枠状壁部の外周を囲うようにして前記凹部上面から突出され、かつ突出端面が前記開口形成面に当接される突出囲い壁部を有してなることを特徴とする。
【０００９】
また、本発明の請求項３に係るカメラ装置は、上記の発明において、前記導電性弾性体は、前記絶縁弾性体が直方体形状をなし、長手方向が前記導電性弾性体嵌入凹部への嵌入方向になるとともに前記導電性弾性体挿通開口部への挿通方向となることを特徴とする。
【００１０】
また、本発明の請求項４に係るカメラ装置は、上記の発明において、前記導電性弾性体は、長手方向の断面形状が山形形状をなすリップ部を有し、該リップ部が長手方向に沿って連続するように形成されてなることを特徴とする。
【発明の効果】
【００１１】
本発明の請求項１に係るカメラ装置は、前記導電性弾性体が、前記導体を介して前記回路端子と前記外部接続端子とを電気的に接続するとともに、前記導電性弾性体嵌入凹部と前記導電性弾性体挿通開口部とを防水可能に封止するようになっているので、前記外部接続端子収容部と、前記回路基板収容部との合わせ目での防水性を向上させるための防水シール部材を組み付ける必要がなく、結果的に、組み付け作業を容易にすることができる。
【００１２】
本発明の請求項２に係るカメラ装置は、前記突出枠状壁部と、前記突出囲い壁部とを設けることによって、前記導電性弾性体嵌入凹部、および前記導電性弾性体挿通開口部への水の侵入経路が複雑化されるので、防水性能を向上させることができる。
【００１３】
本発明の請求項３に係るカメラ装置は、前記導電性弾性体が前記導電性弾性体嵌入凹部の凹部側面、および前記導電性弾性体挿通開口部の開口内縁面に接触される部分が大きくなるようにその寸法が設定されるため、前記導電性弾性体による前記導電性弾性体嵌入凹部、および前記導電性弾性体挿通開口部の封止能力が向上され、結果的に、防水性能を高めることができる。
【００１４】
本発明の請求項４に係るカメラ装置は、前記リップ部によって前記導電性弾性体による前記導電性弾性体嵌入凹部、および前記導電性弾性体挿通開口部の封止能力が向上され、結果的に、防水性能を高めることができる。
【図面の簡単な説明】
【００１５】
【図１】図１は、本発明の実施例に係るカメラ装置の分解斜視図である。
【図２】図２は、図１に示したカメラ装置の上面図である。
【図３】図３は、図２に示したカメラ装置のＡ−Ａ線断面図である。
【図４】図４は、図１に示した外部接続端子収容部を導電性弾性体嵌入凹部側から視た斜視図である。
【図５】図５は、図１に示した導電性弾性体の拡大斜視図である。
【図６】図６は、図３に示したカメラ装置の導電性弾性体周辺を拡大した図である。
【図７】図７は、カメラ装置の組み付け手順を示した図である。
【図８】図８は、カメラ装置の組み付け手順を示した図である。
【図９】図９は、本発明の実施例に係るカメラ装置の変形例１のカメラ装置の断面図である。
【図１０】図１０は、図９に示した導電性弾性体の拡大斜視図である。
【図１１】図１１は、本発明の実施例に係るカメラ装置１の変形例２のカメラ装置の断面図である。
【図１２】図１２は、本発明の実施例に係るカメラ装置の変形例３のカメラ装置の断面図である。
【図１３】図１３は、従来技術を説明するための図である。
【発明を実施するための形態】
【００１６】
以下、図面を参照して、本発明に係るカメラ装置の好適な実施例を詳細に説明する。
【実施例】
【００１７】
図１は、本発明の実施例に係るカメラ装置１の分解斜視図である。図２は、図１に示したカメラ装置１の上面図である。図３は、図２に示したカメラ装置１のＡ−Ａ線断面図である。図４は、図１に示した外部接続端子収容部６０を導電性弾性体嵌入凹部６３側から視た斜視図である。図５は、図１に示した導電性弾性体３０の拡大斜視図である。図６は、図３に示したカメラ装置１の導電性弾性体３０周辺を拡大した図である。
なお、本発明の実施例では説明の便宜上、図中に示すようにＸ、Ｙ及びＺ方向を定義する。
本発明の実施例に係るカメラ装置１は、実装面１０ａ上に回路端子１１ａが形成されてなる回路基板１０が収容される回路基板収容部５０と、外部との電気接続を可能とする外部接続端子２０が収容される外部接続端子収容部６０とが分離可能な筺体４０を有し、回路基板収容部５０と外部接続端子収容部６０とが結合される場合、回路端子１１ａと外部接続端子２０との間に、回路基板収容部５０側および外部接続端子収容部６０側の両端面３０ａ，３０ｂに露出されるように導体３２ａが絶縁弾性体３１に埋設されてなる導電性弾性体３０を挟み込むことによって回路端子１１ａと外部接続端子２０とが導体３２ａを介して電気的に接続されるようになっている。
【００１８】
まず、回路基板１０について説明する。
回路基板１０は、プリント配線板によって実現され、実装面１０ａ上にＣＣＤ等の不図示の撮像素子が実装されている。
また、回路基板１０は、回路端子１１ａが外部接続端子２０に電気的に接続され、この外部接続端子２０を介して外部との電力、あるいは制御信号の入出力が行われるようになっている。
回路端子１１ａは、Ｙ方向に３つの回路端子１１ａが並ぶことによって一つの回路端子群１１が構成され、６つの回路端子１１ａによってＸ方向に間を空けた二つの回路端子群１１が設けられている。
なお、この実施例では６つの回路端子１１ａが形成されるものを例示したが、回路端子１１ａの数は６つに限らない。
【００１９】
次に、外部接続端子２０について説明する。
外部接続端子２０は、いわゆるワイヤーハーネス端子として機能される。より具体的には、絶縁チューブ２１内に束ねられた６本の電線Ｗの端末部に接続される端子である。
なお、この実施例では６つの外部接続端子２０が設けられるものを例示したが、外部接続端子２０の数は、これに限定されない。すなわち、外部接続端子２０は、接続相手となる回路端子１１ａの数に応じて設けるようにするとよい。
【００２０】
各外部接続端子２０は、図４に示すように、外部接続端子収容部６０の後述する導電性弾性体嵌入凹部６３の凹部底面６３ａから露出されるようになっている。
【００２１】
次に、導電性弾性体３０について説明する。
導電性弾性体３０は、図５に示すように、絶縁弾性体３１がＺ方向を長手方向とする直方体形状のシリコーン（Ｓｉｌｉｃｏｎｅ）からなる。
導体３２ａは、Ｚ方向に延びる金属細線からなり、複数本の導体３２ａが絶縁弾性体３１に埋め込まれ、各導体３２ａが絶縁弾性体３１のＹ方向に直交する回路基板収容部５０側および外部接続端子収容部６０側の両端面３０ａ，３０ｂに露出されるようにして絶縁弾性体３１と一体的に設けられるようになっている。
また、各導体３２ａは、Ｙ方向に高密度に並ぶことによって一つの導体群３２が構成され、Ｘ方向に間隔を空けて二つの導体群３２が設けられている。
このように絶縁弾性体３１に埋設された各導体３２ａの端面が、回路端子１１ａ、および外部接続端子２０に接続されるようになっている。
また、導体群３２によって、導体３２ａが導電性弾性体３０の両端面３０ａ，３０ｂに、連続された領域で露出されるため、各端子１１ａ，２０が微小変位された場合であっても、各端子１１ａ，２０と導体３２ａとの接続状態が維持されるようになっている。
【００２２】
なお、この実施例では絶縁弾性体３１がシリコーンからなるものを例示したが、これに限らず、弾性および絶縁性を有する材料であればその他の材料からなるものであっても構わない。
また、この実施例では導体３２ａが金属細線であるものを例示したが、これに限らず、回路端子１１ａと外部接続端子２０とを電気的に接続可能に絶縁弾性体３１に埋設されるものでればその他の導体であっても構わない。
【００２３】
次に、筺体４０について説明する。
筺体４０は、合成樹脂等の絶縁材からなり、回路基板収容部５０と、外部接続端子収容部６０とが分離可能に設けられている。
回路基板収容部５０は、本体となる回路基板収容本体部５１に、結合用ネジ挿通穴５２と、導電性弾性体挿通開口部５３と、突出枠状壁部５４とが設けられている。
【００２４】
結合用ネジ挿通穴５２は、回路基板収容部５０と外部接続端子収容部６０とを結合するための不図示のネジが挿通される穴であり、後述する開口形成面５３ａに設けられている。
【００２５】
導電性弾性体挿通開口部５３は、導電性弾性体３０の回路基板収容部５０側の端面３０ａを含む端部３３が回路基板収容部５０外から回路基板収容部５０内の回路端子１１ａに向けて挿通可能に開口され、かつ開口内縁面５３ｂが導電性弾性体３０に密着されるように形成されてなる。
より具体的には、導電性弾性体挿通開口部５３は、回路基板収容本体部５１の外部接続端子収容部６０に向けられる面である開口形成面５３ａに形成され、開口形状が導電性弾性体３０の挿通方向に直交する断面形状に略等しい形状であり、かつ断面形状に比して僅かに小さい寸法に設定されている。
このため、導電性弾性体３０は、導電性弾性体挿通開口部５３に挿通された場合、挿通方向に直交する方向で弾性的に圧縮されるため、弾性復元力によって開口内縁面５３ｂに密着されるようになっている。
【００２６】
突出枠状壁部５４は、導電性弾性体挿通開口部５３の開口内縁面５３ｂと面一に枠内面５４ａが形成されるように開口形成面５３ａから枠状に突出され、かつ突出端面５４ｂが後述する導電性弾性体嵌入凹部６３の凹部上面６３ｃに当接される壁である。
より具体的には、突出枠状壁部５４は、枠内面５４ａの外形形状が、導電性弾性体挿通開口部５３の開口形状と同様に、導電性弾性体３０の挿通方向に直交する断面形状に略等しい形状であり、かつ断面形状に比して僅かに小さい寸法に設定されている。
このため、導電性弾性体３０は、突出枠状壁部５４の枠内に挿通された場合、挿通方向に直交する方向で弾性的に圧縮されるため、弾性復元力によって枠内面５４ａに密着されるようになっている。
【００２７】
外部接続端子収容部６０は、本体となる外部接続端子収容本体部６１に、結合用ネジ挿通孔６２と、導電性弾性体嵌入凹部６３と、突出囲い壁部６４とが設けられている。
【００２８】
結合用ネジ挿通孔６２は、回路基板収容部５０と外部接続端子収容部６０とを結合するためのネジが挿通される貫通孔であり、外部接続端子収容部６０の回路基板収容本体部５１との結合面に設けられている。
【００２９】
導電性弾性体嵌入凹部６３は、導電性弾性体３０の外部接続端子収容部６０側の端面３０ｂを含む端部３４が嵌入される凹状をなし、かつ凹部底面６３ａから外部接続端子２０が露出されてなる。
より具体的には、導電性弾性体嵌入凹部６３は、回路基板収容本体部５１に向けられる面に設けられ、開口形状が導電性弾性体３０の嵌入方向に直交する断面形状に略等しい形状であり、かつ断面形状に比して僅かに小さい寸法に設定されている。
このため、導電性弾性体３０は、導電性弾性体嵌入凹部６３に嵌入された場合、嵌入方向に直交する方向で弾性的に圧縮されるため、弾性復元力によって凹部側面６３ｂに密着されるようになっている。
【００３０】
突出囲い壁部６４は、突出枠状壁部５４の外周を囲うようにして凹部上面６３ｃから突出され、かつ突出端面６４ａが開口形成面５３ａに当接される壁である。
【００３１】
このような回路基板収容部５０と外部接続端子収容部６０とを結合した場合、図６に示すように、導電性弾性体３０が、Ｘ、ＹおよびＺ方向で所定量圧縮された状態で筺体４０内に保持されるため、導体３２ａの各端面が絶縁弾性体３１の弾性復元力により回路端子１１ａと外部接続端子２０とに当接され、導体３２ａを介して回路端子１１ａと外部接続端子２０とを電気的に接続される。しかも、導電性弾性体３０が図中矢印方向に弾性的に復元されることによって、導電性弾性体嵌入凹部６３と導電性弾性体挿通開口部５３とを防水可能に封止するようになっている。
【００３２】
また、突出枠状壁部５４と、突出囲い壁部６４とを設けることによって、導電性弾性体嵌入凹部６３、および導電性弾性体挿通開口部５３への水の侵入経路が複雑化されるようになっている。
【００３３】
次に、図７および図８を用いて、カメラ装置１の組み付け手順について説明する。図７および図８は、カメラ装置１の組み付け手順を示した図である。
【００３４】
まず、作業者は、導電性弾性体嵌入凹部６３に導電性弾性体３０の一方の端部３４を嵌入する（図７参照）。
これにより、導電性弾性体３０の外部接続端子収容部６０側の端面３３に露出された導体３２ａと、凹部底面６３ａから露出された外部接続端子２０とが対向配置される。
【００３５】
次に、作業者は、導電性弾性体３０の端部３３を導電性弾性体挿通開口部５３に挿通させるようにして回路基板収容部５０と外部接続端子収容部６０とを結合する（図８参照）。
ここで作業者が結合用ネジ挿通穴５２と結合用ネジ挿通孔６２とに不図示のネジを螺合せることによって、回路基板収容部５０と外部接続端子収容部６０とが結合され、導電性弾性体３０が、Ｘ、ＹおよびＺ方向で所定量圧縮された状態で筺体４０内に保持される。  このため、導電性弾性体３０に埋設された導体３２ａの各端面が絶縁弾性体３１の弾性復元力により回路端子１１ａと外部接続端子２０とに当接されるとともに、導電性弾性体３０が、導電性弾性体嵌入凹部６３に嵌入され、かつ導電性弾性体挿通開口部５３に密着されながら挿通された状態で筺体４０に保持される。
すなわち、導電性弾性体３０によって、回路端子１１ａと外部接続端子２０とが導体３２ａを介して電気的に接続されるとともに、導電性弾性体嵌入凹部６３と導電性弾性体挿通開口部５３とが防水可能に封止される。
【００３６】
本発明の実施例に係るカメラ装置１は、導電性弾性体３０が、導体３２ａを介して回路端子１１ａと外部接続端子２０とを電気的に接続するとともに、導電性弾性体嵌入凹部６３と導電性弾性体挿通開口部５３とを防水可能に封止するようになっているので、外部接続端子収容部６０と、回路基板収容部５０との合わせ目での防水性を向上させるための防水シール部材を組み付ける必要がなく、結果的に、組み付け作業を容易にすることができる。
【００３７】
また、本発明の実施例に係るカメラ装置１は、突出枠状壁部５４と、突出囲い壁部６４とを設けることによって、導電性弾性体嵌入凹部６３、および導電性弾性体挿通開口部５３への水の侵入経路が複雑化されるので、防水性能を向上させることができる。
【００３８】
さらにまた、本発明の実施例に係るカメラ装置１は、導電性弾性体３０が導電性弾性体嵌入凹部６３の凹部側面６３ｂ、および導電性弾性体挿通開口部５３の開口内縁面５３ｂに接触される部分が大きくなるようにその寸法が設定されるため、導電性弾性体３０による導電性弾性体嵌入凹部６３、および導電性弾性体挿通開口部５３の封止能力が向上され、結果的に、防水性能を高めることができる。
【００３９】
（変形例１）
次に、図９および図１０を用いて本発明の実施例に係るカメラ装置１の変形例１について説明する。図９は、本発明の実施例に係るカメラ装置１の変形例１のカメラ装置２の断面図である。図１０は、図９に示した導電性弾性体７０の拡大斜視図である。
この変形例１のカメラ装置２は、導電性弾性体３０に代わって導電性弾性体７０を有してなる点で実施例のカメラ装置１と異なる。
なお、その他の構成は実施例と同様であり、実施例と同一構成部分には同一符号を付している。
【００４０】
導電性弾性体７０は、絶縁弾性体７１が直方体形状をなし、長手方向が導電性弾性体嵌入凹部６３への嵌入方向になるとともに導電性弾性体挿通開口部５３への挿通方向となっている。また、導電性弾性体７０は、長手方向の断面形状が山形形状をなすリップ部７２を有し、リップ部７２が長手方向に沿って連続するように形成されてなる。
【００４１】
この変形例１のカメラ装置２は、実施例に係るカメラ装置１と同様な効果を奏するとともに、リップ部７２によって導電性弾性体７０による導電性弾性体嵌入凹部６３、および導電性弾性体挿通開口部５３の封止能力が向上され、結果的に、防水性能を高めることができる。
【００４２】
（変形例２）
次に、図１１を用いて本発明の実施例に係るカメラ装置１の変形例２について説明する。図１１は、本発明の実施例に係るカメラ装置１の変形例２のカメラ装置３の断面図である。
この変形例２のカメラ装置３は、外部接続端子収容部６０に代わって外部接続端子収容部８０を有している点で実施例のカメラ装置１と異なる。
なお、その他の構成は実施例と同様であり、実施例と同一構成部分には同一符号を付している。
【００４３】
外部接続端子収容部８０は、外部接続コネクタ８１を有してなる。
外部接続コネクタ８１は、不図示の相手接続コネクタが接続されることによって、不図示の相手接続コネクタを介して車内の表示装置等の各装置に接続されるようになっている。この外部接続コネクタ８１は、コネクタハウジング部８１ａを有し、コネクタハウジング部８１ａ内に外部接続端子８２の一端が雄端子として突出されるとうになっている。
なお、外部接続端子８２は、他端が凹部底面１００ａから露出されることによって、導体３２ａに接続されるようになっている。
【００４４】
この変形例２のカメラ装置３は、実施例に係るカメラ装置１と同様な効果を奏することができる。
【００４５】
（変形例３）
次に、図１２を用いて本発明の実施例に係るカメラ装置１の変形例３について説明する。図１２は、本発明の実施例に係るカメラ装置１の変形例３のカメラ装置４の断面図である。
この変形例３のカメラ装置４は、回路基板収容部５０に代わって回路基板収容部９０を有し、外部接続端子収容部６０に代わって外部接続端子収容部１００を有してなる点で実施例のカメラ装置１と異なる。
なお、その他の構成は実施例と同様であり、実施例と同一構成部分には同一符号を付している。
【００４６】
回路基板収容部９０は、突出枠状壁部５４を有しない構造となっている。また、外部接続端子収容部１００は、突出囲い壁部６４を有しない構造となっている。すなわち、回路基板収容部９０と外部接続端子収容部１００とが結合される場合、回路基板収容部９０の開口形成面９０ａと、外部接続端子収容部１００の凹部上面１００ａとが平坦な面で接触されるようになっている。
【００４７】
この変形例３のカメラ装置４は、実施例に係るカメラ装置１と同様に、導電性弾性体３０が、導体３２ａを介して回路端子１１ａと外部接続端子２０とを電気的に接続するとともに、導電性弾性体嵌入凹部６３と導電性弾性体挿通開口部５３とを防水可能に封止するようになっているので、外部接続端子収容部１００と、回路基板収容部９０との合わせ目での防水性を向上させるための防水シール部材を組み付ける必要がなく、結果的に、組み付け作業を容易にすることができる。
【００４８】
なお、本発明の実施例に係るカメラ装置１，２，３，４は、自動車に設置するものを例示したが、その他の場所に設置しても構わない。例えば、屋外監視容易の防犯カメラとして、家屋に設置するようにしても構わない。
【００４９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５０】
１，２，３，４  カメラ装置
１０            回路基板
１０ａ          実装面
１１            回路端子群
１１ａ          回路端子
２０，８２      外部接続端子
２１            絶縁チューブ
３０，７０      導電性弾性体
３０ａ，３０ｂ  端面
３１，７１      絶縁弾性体
３２            導体群
３２ａ          導体
３３，３４      端部
４０            筺体
５０，９０      回路基板収容部
５１            回路基板収容本体部
５２            結合用ネジ挿通穴
５３            導電性弾性体挿通開口部
５３ａ，９０ａ  開口形成面
５３ｂ          開口内縁面
５４            突出枠状壁部
５４ａ          枠内面
５４ｂ          突出端面
６０，８０，１００  外部接続端子収容部
６１            外部接続端子収容本体部
６２            結合用ネジ挿通孔
６３            導電性弾性体嵌入凹部
６３ａ          凹部底面
６３ｂ          凹部側面
６３ｃ，１００ａ  凹部上面
６４            突出囲い壁部
６４ａ          突出端面
７２            リップ部
８１            外部接続コネクタ
８１ａ          コネクタハウジング
Ｗ            電線
【図１】
2014075229.tif 000003
【図２】
2014075229.tif 000004
【図３】
2014075229.tif 000005
【図４】
2014075229.tif 000006
【図５】
2014075229.tif 000007
【図６】
2014075229.tif 000008
【図７】
2014075229.tif 000009
【図８】
2014075229.tif 000010
【図９】
2014075229.tif 000011
【図１０】
2014075229.tif 000012
【図１１】
2014075229.tif 000013
【図１２】
2014075229.tif 000014
【図１３】
2014075229.tif 000015